(57)【特許請求の範囲】
【請求項１】
複数の造営材を間隔をおいて立設し、前記複数の造営材を挟むように壁材を立設してなる間仕切壁内に配線用ボックスを配設するために形成されるボックス配設装置であって、
底壁の周縁から側壁が立設されて有底箱状に形成され、対向する一対の前記側壁の内面に、それぞれ前記側壁に対して垂直となるように前記配線用ボックスの内側に向かってボス部が突出形成された前記配線用ボックスと、
前記造営材に取り付けられる取付部を有し、さらに、前記取付部から延設されるとともにビスが強制的に螺入されるビス孔が形成され、前記配線用ボックスが固定される固定部を有するボックス固定具とからなり、
前記配線用ボックスの前記底壁には、前記ビスを、前記底壁を貫通させて前記固定部の前記ビス孔に螺入させる挿通孔が貫設され、
前記挿通孔は、長孔状に形成され、前記挿通孔の短辺方向に沿った長さは、ビス軸の直径よりも僅かに大きく形成されていることを特徴とするボックス配設装置。
【請求項２】
前記挿通孔は、前記側壁からの前記ボス部の突出方向に対して直交する方向に沿って細長に延びるように形成されていることを特徴とする請求項１に記載のボックス配設装置。
【請求項３】
前記挿通孔は、前記側壁からの前記ボス部の突出方向に対して直交する方向に沿って断続的に複数形成されていることを特徴とする請求項２に記載のボックス配設装置。
【請求項４】
前記挿通孔は、前記側壁からの前記ボス部の突出方向に沿った前記配線用ボックスの長さの中央に形成されていることを特徴とする請求項１〜請求項３のいずれか一項に記載のボックス配設装置。
【請求項５】
前記配線用ボックスの前記底壁には、前記取付部からの前記固定部の延設方向に延びる側縁に係合して、該延設方向に沿った前記配線用ボックスの移動をガイドするガイド部が形成されていることを特徴とする請求項１〜請求項４のいずれか一項に記載のボックス配設装置。
【発明の詳細な説明】
【技術分野】
【０００１】
本発明は、複数の造営材を間隔をおいて立設し、前記複数の造営材を挟むように壁材を立設してなる間仕切壁内に設置されるボックス配設装置に関する。
【背景技術】
【０００２】
一般に軽量間仕切壁は、間隔をおいて立設された複数の軽量形鋼材（造営材）を挟むように壁材が立設されて構築されるものである。この軽量間仕切壁を構築するには、まず、略コ字状をなす長尺状のランナーを、天井と床のそれぞれに該ランナーの開口が互いに対向するように固定する。次に、上下両ランナーの内側に各軽量形鋼材の上下両端部をそれぞれ差し込み、次いで、立設される壁材に合わせて軽量形鋼材をランナーの長さ方向へスライド移動させて位置調整し、その調整された位置で壁材を軽量形鋼材及びランナーに固定することにより、軽量間仕切壁が構築される。このような軽量間仕切壁に配線用ボックスを設置するための固定具として、軽量形鋼材に取り付けられるボックス固定具が提案されている（例えば、特許文献１。）。
【０００３】
特許文献１のボックス固定具は、軽量形鋼材にビスによって取り付けられる取付部と、軽量形鋼材に取り付けた状態で該取付部から軽量形鋼材の立設方向に対し交差する方向へ延びる細長板状をなし、前記配線用ボックスが取り付けられる固定部とを備えている。固定部には、延設方向に沿って連続又は断続してビス孔が長孔状に形成されている。そして、ビスを配線用ボックスの底壁に設けられた挿通孔に挿通させつつ、ビス孔に強制的に螺入させることで、配線用ボックスを固定部に固定することができる。また、ビス孔が長孔状に形成されていることで、ビス孔へのビスの螺入位置を変更することで配線用ボックスの取付け位置を固定部の延設方向に対して変更可能となっている。配線用ボックスをボックス固定具に固定した後は、軽量形鋼材の両面に壁材を立設して軽量間仕切壁を形成する。軽量間仕切壁に配線器具を設置するには、壁材の配線用ボックスに対応した位置に配線孔を貫設して、配線用ボックスを壁材の表側に臨ませ、配線器具の設置を行う。
【特許文献１】特開平１０−２１９８８７
【発明の開示】
【発明が解決しようとする課題】
【０００４】
ところで、貫設した配線孔と軽量間仕切壁内の配線用ボックスの位置がずれてしまっている場合、壁裏側にある配線用ボックスの位置調整をする必要がある。しかしながら、配線用ボックスの挿通孔は丸孔に形成されている。また、ビスは固定部のビス孔に強制的に螺入されて移動不能に固定されている。したがって、配線用ボックスを固定部にビスで固定した後に配線用ボックスの位置を調整するには、ビスを固定部のビス孔及び配線用ボックスの挿通孔から抜き取らなければならなかった。
【０００５】
本発明は、このような従来の技術に存在する問題点に着目してなされたものであり、配線用ボックスをボックス固定具の固定部にビスで固定した後に配線用ボックスの位置調整を行う必要がある場合、その位置調整を簡便に行うことができるボックス配設装置を提供することにある。
【課題を解決するための手段】
【０００６】
上記問題点を解決するために、請求項１に記載の発明は、複数の造営材を間隔をおいて立設し、前記複数の造営材を挟むように壁材を立設してなる間仕切壁内に配線用ボックスを配設するために形成されるボックス配設装置であって、底壁の周縁から側壁が立設されて有底箱状に形成され、対向する一対の前記側壁の内面に、それぞれ前記側壁に対して垂直となるように前記配線用ボックスの内側に向かってボス部が突出形成された前記配線用ボックスと、前記造営材に取り付けられる取付部を有し、さらに、前記取付部から延設されるとともにビスが強制的に螺入されるビス孔が形成され、前記配線用ボックスが固定される固定部を有するボックス固定具とからなり、前記配線用ボックスの前記底壁には、前記ビスを、前記底壁を貫通させて前記固定部の前記ビス孔に螺入させる挿通孔が貫設され、前記挿通孔は、長孔状に形成され、前記挿通孔の短辺方向に沿った長さは、ビス軸の直径よりも僅かに大きく形成されていることを要旨とした。
【０００８】
請求項１に記載の発明によれば、挿通孔からビス孔にビスが強制的に螺入され、ビスが固定部に対し移動不能に固定されていても、挿通孔が長孔状に形成され、挿通孔の短辺方向に沿った長さがビス軸の直径よりも僅かに大きく形成されていることから、ビスが底壁を貫通していても配線用ボックスを長孔の延びる方向に沿って移動させることができる。したがって、配線用ボックスを固定部にビスで固定した後に配線用ボックスの位置調整を行う必要がある場合、ビスをビス孔に螺入したまま調整作業を行うことができる。
【０００９】
請求項２に記載の発明は、請求項１に記載のボックス配設装置において、前記挿通孔は、前記側壁からの前記ボス部の突出方向に対して直交する方向に沿って細長に延びるように形成されていることを要旨とした。
【００１０】
これによれば、側壁からのボス部の突出方向に対して直交する方向、すなわち固定部の延設方向に沿って配線用ボックスの位置調整を行うことができる。一般に、配線用ボックスは、一対の突出部が上下に位置するように固定部に固定される。このため、ボス部の突出方向に対して直交する方向に挿入孔が延びることにより、挿通孔は左右方向へ延びることとなる。よって、配線用ボックスを左右方向へ移動させて位置調整を行うことができる。
【００１１】
請求項３に記載の発明は、請求項２に記載のボックス配設装置において、前記挿通孔は、前記側壁からの前記ボス部の突出方向に対して直交する方向に沿って断続的に複数形成されていることを要旨とした。
【００１２】
これによれば、配線用ボックスを、複数の挿通孔にビスをそれぞれ挿通させつつ、該ビスをビス孔に螺入して固定できる。このため、ビスによって配線用ボックスを固定部に固定する際、配線用ボックスを複数のビスで固定部に支持された状態とすることができる。よって、例えば１本のビスで配線用ボックスを固定部に固定する場合のように、１本のビスを回転中心として配線用ボックスが回転されることを防止できる。
【００１３】
請求項４に記載の発明は、請求項１〜請求項３のいずれか一項に記載のボックス配設装置において、前記挿通孔は、前記側壁からの前記ボス部の突出方向に沿った前記配線用ボックスの長さの中央に形成されていることを要旨とした。
【００１４】
これによれば、挿通孔から固定部のビス孔にビスを螺入するだけで、ボス部の突出方向に沿った配線用ボックスの長さの中央に固定部が配置された状態で、配線用ボックスを固定部に固定することができる。
【００１５】
請求項５に記載の発明は、請求項１〜請求項４のいずれか一項に記載のボックス配設装置において、前記配線用ボックスの前記底壁には、前記取付部からの前記固定部の延設方向に延びる側縁に係合して、該延設方向に沿った前記配線用ボックスの移動をガイドするガイド部が形成されていることを要旨とした。これによれば、固定部の延設方向に沿って配線用ボックスを移動させるとき、配線用ボックスをガイド部によってガイドすることができる。
【発明の効果】
【００１６】
本発明によれば、配線用ボックスをボックス固定具の固定部にビスで固定した後に配線用ボックスの位置調整を行う必要がある場合、その位置調整を簡便に行うことができる。
【発明を実施するための最良の形態】
【００１７】
以下、本発明を具体化したボックス配設装置及び配線用ボックスの一実施形態を図１〜図６にしたがって説明する。なお、以下の説明において、図１に示す矢印Ｙ１の方向を上下方向とし、図１に示す矢印Ｙ２の方向を左右方向とする。
【００１８】
まず、間仕切壁としての軽量間仕切壁Ｗについて説明する。図１に示すように、軽量間仕切壁Ｗは、天井と床に固定される上下一対のランナー（いずれも図示せず）と、該ランナー間に立設された複数の造営材としての軽量形鋼材Ｐ（図１では１本の軽量形鋼材Ｐのみ図示）と、該軽量形鋼材Ｐを挟むようにして立設される壁材Ｗａとから構築されている。前記壁材Ｗａは石膏ボードが用いられる。前記ランナーは長尺状をなすとともに、ランナーの長さ方向に対して直交する断面視がコ字状をなし、長さ方向へ延びる開口を有する。そして、ランナーが天井と床それぞれに固定された状態では、両ランナーの開口が互いに対向している。前記軽量形鋼材Ｐは、薄鋼板からなり、軽量形鋼材Ｐの立設方向（矢印Ｙ１に示す上下方向）に対して直交する方向（矢印Ｙ２に示す左右方向）への平断面視が略Ｃ字状をなすＣ型鋼である。
【００１９】
上記軽量間仕切壁Ｗ内において、軽量形鋼材Ｐの側面にはボックス固定具１３が取り付けられるとともに、ボックス固定具１３には配線用ボックス１２が固定されて、配線用ボックス１２が軽量間仕切壁Ｗ内に配設されている。そして、配線用ボックス１２とボックス固定具１３によって、軽量間仕切壁Ｗ内に配線用ボックス１２を配設するためのボックス配設装置１１が形成されている。
【００２０】
次に、上記軽量間仕切壁Ｗに配線用ボックス１２を配設するために、前述の軽量形鋼材Ｐに取り付けられるボックス固定具１３について詳細に説明する。
図１及び図４に示すように、ボックス固定具１３は、薄鋼板を折り曲げて細長板状に形成されている。該ボックス固定具１３の一端には、矩形板状の取付部１４が設けられるとともに、前記取付部１４の一側縁からは細長板状をなす固定部としての固定片１５が取付部１４に対し直交するように延設されている。取付部１４には、複数の固定孔１４ａが貫通形成（本実施形態では２つ）されている。ここで、取付部１４から固定片１５が延設される方向を、固定片１５の延設方向（図４において矢印Ｙ３に示す方向）とし、該延設方向に直交する方向（図４において矢印Ｙ４に示す方向）を固定片１５の幅方向とする。なお、ボックス固定具１３を軽量形鋼材Ｐに取り付けた状態において、図４の矢印Ｙ３，矢印Ｙ４に示す方向は、それぞれ図１の矢印Ｙ２，矢印Ｙ１に示す方向と同一となる。
【００２１】
該固定片１５の延設方向へ延びる両側縁には、リブ１５ａが折り曲げ形成されている。固定片１５及びリブ１５ａによって、側面視凸台形の雄型形状をなしている。固定片１５には、固定片１５の延設方向へ延びる複数のビス孔１６（本実施形態では２つ）がスリット状に形成されているとともに、各ビス孔１６は固定片１５の幅方向に沿った長さの中央に形成されている。図５（ａ）に示すように、各ビス孔１６の固定片１５の幅方向に沿った長さは、ビス軸Ｖａの直径よりも僅かに狭く形成されている。そして、各ビス孔１６は、固定片１５に配線用ボックス１２を固定するために、ビスＶが螺入されるようになっている（図１及び図５参照）。
【００２２】
また、図１に示すように、上記構成のボックス固定具１３は、前記取付部１４の固定孔１４ａから軽量形鋼材Ｐの側面としての柱側面Ｐａにタッピンねじ１７をねじ込むことにより、該軽量形鋼材Ｐに取り付けることができるようになっている。この取付け状態では、固定片１５が軽量形鋼材Ｐの立設方向に対して直交する方向（矢印Ｙ２の方向）へ延びるようになっている。
【００２３】
次に、配線用ボックス１２について詳細に説明する。図２及び図３に示すように、合成樹脂製の配線用ボックス１２は、四角板状をなす底壁２１と、該底壁２１の四側周縁から立設された側壁２２ａ〜２２ｄとから有底四角箱状に形成されている。ここで、配線用ボックス１２は、図１に示すように、底壁２１の外面側の面をボックス固定具１３の固定片１５に当接させた状態で固定されるとともに、その固定された状態で側壁２２ａが上に、側壁２２ｃが下に、側壁２２ｂが右に、側壁２２ｄが左に配設される。
【００２４】
図２及び図３（ｂ）に示すように、側壁２２ａ〜２２ｄには、丸孔状をなす接続孔２３がそれぞれ２つずつ穿設されている。底壁２１には、その中央に１つの接続孔２３が穿設され、さらに２つの接続孔２３が前記中央の接続孔２３を中心とした点対称となるように、かつ、底壁２１の略対角線上に位置するように穿設されている。接続孔２３は、未使用の場合は閉鎖部材２４によって閉鎖されている。また、対向する側壁２２ａ及び側壁２２ｃの内面には、それぞれボス部２５が、側壁２２ａ又は側壁２２ｃに対して垂直となるように配線用ボックス１２の内側に向かって突出するように形成されている。なお、以下の説明において、側壁２２ａ及び側壁２２ｃからボス部２５が突出する方向を、ボス部２５の突出方向とする。ボス部２５の突出方向は、配線用ボックス１２をボックス固定具１３に固定した状態で上下方向（図１で矢印Ｙ１に示す方向）となる。そして、該ボス部２５に取り付けられたボックスカバー（図示せず）に配線器具（図示せず）が取り付けられ、該配線器具が配線用ボックス１２に取り付けられる。
【００２５】
図３（ａ）に示すように、底壁２１には、底壁２１の中央に配設された接続孔２３を挟んで対向するように、２つの挿通孔２６が長孔状に貫設されている。また、２つの挿通孔２６はいずれも、側壁２２ｂ又は側壁２２ｄが立設されている底壁２１の２つの縁辺の中点を結ぶ直線上に配置されているとともに、該直線に沿って細長に延びるように配設されている。つまり、挿通孔２６は底壁２１の、ボス部２５の突出方向に沿った配線用ボックス１２の長さの中央に形成されているとともに、ボス部２５の突出方向に対して直交する方向に沿って細長に延びるように形成されている。
【００２６】
このような位置に形成された挿通孔２６は、図１に示すように、配線用ボックス１２がボックス固定具１３に固定された状態で左右方向（矢印Ｙ２の方向）に延びるように配設されている。すなわち、挿通孔２６は、固定片１５の延設方向に沿って延びるように配設されている。また、挿通孔２６は、配線用ボックス１２がボックス固定具１３に固定された状態で軽量形鋼材Ｐの立設方向（矢印Ｙ１の方向）に沿った配線用ボックス１２の長さの中央に配設されている。すなわち、固定片１５の延設方向に対して直交する方向に沿った配線用ボックス１２の長さの中央に配設されている。図５（ａ）に示すように、各挿通孔２６の短辺方向に沿った幅は、配線用ボックス１２をボックス固定具１３に固定する際に使用するビスＶのビス軸Ｖａの直径よりも僅かに大きく形成されている。
【００２７】
図２及び図３（ｂ）に示すように、底壁２１の外面側には、ガイド部としての位置決め部２７が凹設されているとともに、該位置決め部２７は側壁２２ｂが立設された縁辺から側壁２２ｄが立設された縁辺まで一定の幅で細長帯状に延びるように形成されている。ここで、位置決め部２７の長さ方向を長辺方向とし、該長辺方向に直交する方向を短辺方向とする。
【００２８】
位置決め部２７において、底壁２１に形成された２つの挿通孔２６は、該位置決め部２７の短辺方向に沿った長さの中央にそれぞれ配設されるように形成されている。本実施形態において、各挿通孔２６は、底壁２１における側壁２２ａ，側壁２２ｃ側の縁辺からの距離が等しい位置にある直線上に配設されている。そのため、位置決め部２７も、底壁２１における側壁２２ａ，２２ｃ側の縁辺からの距離が等しい位置に配設されることになる。
【００２９】
また、位置決め部２７は、位置決め部２７の外面側に開口する幅より底部２７ａの幅のほうが狭くなるよう、テーパ部２７ｂによって開口から底部２７ａに向けて短辺方向の長さが減少させられるように形成されている。つまり、位置決め部２７は、テーパ部２７ｂ及び底部２７ａによって側面視台形となっている。位置決め部２７を形成する底部２７ａの短辺方向に沿った長さは、前記ボックス固定具１３の固定片１５の幅方向に沿った長さより僅かに広く形成されている。さらに、固定片１５の両側縁に形成されたリブ１５ａの傾斜角度は、位置決め部２７のテーパ部２７ｂの傾斜角度と略同一としてある。すなわち、位置決め部２７を側面視凹台形の雌型形状とした場合、固定片１５及びリブ１５ａは該形状に対応する側面視凸台形の雄型形状をなして、位置決め部２７とリブ１５ａを備えた固定片１５は係合可能に形成されている。
【００３０】
次に、ボックス配設装置１１を用いて配線用ボックス１２を軽量間仕切壁Ｗ内に配設する方法について説明する。なお、軽量間仕切壁Ｗは複数の軽量形鋼材Ｐを立設してなるが、図１においては１本の軽量形鋼材Ｐのみを図示する。
【００３１】
まず、略コ字状をなす長尺状のランナーを、天井と床のそれぞれに該ランナーの開口が互いに対向するように固定する（いずれも図示せず）。そして、上下両ランナーの内側に軽量形鋼材Ｐの上下両端部をそれぞれ差し込んで立設する。このとき、該軽量形鋼材Ｐはランナーに対して固定されず、ランナーの長さ方向（図１において矢印Ｙ２で示す左右方向）へスライド移動可能に支持されている。また、このとき、軽量形鋼材Ｐの柱側面Ｐａが同じ方向に向けられるとともに、前記壁材Ｗａが設置される側の柱側面Ｐｂは、それぞれ同一平面上に配置される。
【００３２】
図１に示すように、軽量形鋼材Ｐの柱側面Ｐａには、ボックス固定具１３の取付部１４がタッピンねじ１７によって取り付けられる。なお、取付部１４は、固定片１５に配線用ボックス１２を固定したとき、該配線用ボックス１２の開口端が軽量形鋼材Ｐにて１つの壁材Ｗａが設置される側の柱側面Ｐｂと略同一平面上に位置するように、柱側面Ｐａへの取付け位置が調整して取り付けられる。また、ボックス固定具１３は、固定片１５が設計図で指定された配線孔における軽量形鋼材Ｐの立設方向に沿った長さの中央に位置するように、取付部１４の柱側面Ｐａへの取付け位置が調整して取り付けられる。この取付け状態において、ボックス固定具１３の固定片１５は、軽量形鋼材Ｐの立設方向に対して直交する方向（図１において矢印Ｙ２で示す左右方向）へ延びるようになっている。また、壁材Ｗａが設置された後は、固定片１５は壁材Ｗａの壁面に対して平行をなすように該壁面に沿って延びるようになっている。
【００３３】
次に、図１に示すように、配線用ボックス１２をボックス固定具１３の固定片１５に固定する。まず、ボス部２５が設けられた側壁２２ａ及び側壁２２ｃをそれぞれ上下に配置し、かつ、挿通孔２６を左右方向へ延びるように配置した状態で、位置決め部２７の長辺方向と、固定片１５の延設方向とを一致させ、嵌め込むようにして該位置決め部２７のテーパ部２７ｂと固定片１５のリブ１５ａとを係合させる。この状態では、固定片１５のビス孔１６と、配線用ボックス１２の挿通孔２６とは、同一直線上に配置されることになる。
【００３４】
図１、図５（ａ）及び図５（ｂ）に示すように、ドライバといった工具を使用して、ビスＶを挿通孔２６に挿通させつつ、ビス軸Ｖａをビス孔１６内で螺入方向へ回転させる。すると、図５（ａ）及び図５（ｂ）に示すように、ビス孔１６の幅はビス軸Ｖａの直径よりも狭く形成されていることから、ビス軸Ｖａはビス孔１６に強制的に螺入されることとなる。続けて、図５（ｂ）に示すように、さらにドライバを操作してビスＶの座面によって配線用ボックス１２の底壁２１が、固定片１５に密着された状態になるまでビスＶを螺入させる。また、もう１つの挿通孔２６に対しても、同様にビスＶを挿通させつつ、ビスＶをビス孔１６に螺入させる。以上で、配線用ボックス１２をボックス固定具１３（固定片１５）に固定する作業が終了する。
【００３５】
次いで、立設される壁材Ｗａに合わせて軽量形鋼材Ｐをランナーの長さ方向へスライド移動させて位置調整した後、図１に示すように、その調整された位置で壁材Ｗａを軽量形鋼材Ｐ及びランナーにビス（図示せず）で固定することにより、軽量間仕切壁Ｗを構築する。
【００３６】
そして、柱側面Ｐｂ側に立設された壁材Ｗａの、配線用ボックス１２が固定された場所に対応する位置に配線孔（図示せず）を貫設して、配線用ボックス１２を壁材Ｗａの表側に臨ませる。この際、軽量間仕切壁Ｗ内に配設された配線用ボックス１２の位置からずれた位置に、配線孔を設けてしまう場合がある。また、壁材Ｗａを軽量形鋼材Ｐ及びランナーに固定する際、軽量形鋼材Ｐがランナーに沿ってスライド移動し、該軽量形鋼材Ｐに固定された配線用ボックス１２が、設計図で指定された位置から移動してしまうことがある。このため、設計図で指定された位置に配線孔を貫設すると、該配線孔の位置から配線用ボックス１２がずれてしまっている場合がある。
【００３７】
その他、壁材Ｗａを立設した後に設計変更がなされ、配線用ボックス１２の配設位置を変更しなくてはならない場合も考えられる。この場合にも、貫設する配線孔と配線用ボックス１２の位置がずれてしまうことになる。
【００３８】
このように配線用ボックス１２と配線孔の位置がずれてしまっている場合には、以下に述べる手順にしたがって配線用ボックス１２の位置調整を行う。すなわち、ドライバといった工具を配線孔の開口部から配線用ボックス１２内に差し込み、図５（ｃ）に示すように、ビスＶをビス孔１６への螺入方向とは逆に回転させて緩め、ビスＶの座面と固定片１５との間に底壁２１の厚みより広い隙間を形成する。そして、図６に示すように、配線用ボックス１２を挿通孔２６に沿って固定片１５の延設方向（図１において矢印Ｙ２で示す左右方向）、すなわちボス部２５の突出方向に対して直交する方向に移動させて、配線孔と配線用ボックス１２の位置を一致させる。このとき、位置決め部２７と固定片１５とが係合していることによって、配線用ボックス１２の移動は固定片１５の延設方向に沿ってガイドされる。なお、配線用ボックス１２の位置調整は、ビスＶを配線用ボックス１２の底壁２１を貫通させた状態、かつビスＶがビス孔１６に対して移動不能に螺入された状態のまま行う。そして、位置調整後はドライバといった工具を使用して再びビスＶをビス孔１６に螺入させて、配線用ボックス１２を固定片１５に固定する。次いで、配線器具の設置を行う。
【００３９】
したがって、本実施形態によれば、以下に示す効果を得ることができる。
（１）挿通孔２６は、ボス部２５の突出方向に対して直交する方向に沿って細長に延びるように形成されている。すなわち、配線用ボックス１２がボックス固定具１３の固定片１５に固定された状態において、軽量形鋼材Ｐに取り付けられた取付部１４からの固定片１５の延設方向に沿って細長に延びるように形成されている。これにより、挿通孔２６からビス孔１６にビスＶが強制的に螺入され、ビスＶが固定片１５に対して移動不能に固定されていても、ビスＶが底壁２１を貫通した状態のまま、配線用ボックス１２を挿通孔２６の延びる方向、すなわち固定片１５の延設方向に沿って移動させることができる。したがって、配線用ボックス１２をボックス固定具１３の固定片１５にビスＶで固定した後に、配線用ボックス１２の位置調整を行う必要がある場合、ビスＶをビス孔１６に螺入したまま調整作業を行うことができる。なお、本実施形態のボックス配設装置１１を用いない場合、壁材Ｗａを立設後、貫設した配線孔と配線用ボックス１２の位置を調整する際にはビスＶをビス孔１６から完全に抜き取る必要があった。また、ビスＶを全てビス孔１６から抜き取ってしまうと、配線用ボックス１２がボックス固定具１３に対して固定されていない状態となり、２枚の壁材Ｗａを立設して構築された軽量間仕切壁Ｗ内に落下してしまう虞があった。本実施形態のボックス配設装置１１を用いれば、そのような虞がなく簡便にその位置調整を簡便に行うことができる。
【００４０】
（２）配線用ボックス１２の底壁２１には、ボス部２５の突出方向に対して直交する方向に沿って２つの挿通孔２６を設けた。これにより、配線用ボックス１２は、２つの挿通孔２６をそれぞれ貫通するようにビスＶが挿通されつつ、ビスＶがビス孔１６に螺入されて固定される。したがって、１つのビスＶを回転中心として配線用ボックス１２が回転されることを防止できる。
【００４１】
（３）底壁２１の位置決め部２７と、リブ１５ａを備えた固定片１５とを係合させて、配線用ボックス１２を配設するようにした。これにより、固定片１５の延設方向に沿って配線用ボックス１２を移動させるとき、配線用ボックス１２を位置決め部２７によってガイドすることができる。したがって、配線用ボックス１２の位置調整が容易になる。
【００４２】
（４）挿通孔２６を位置決め部２７の短辺方向に沿った長さの中央に形成するとともに、ビス孔１６を固定片１５の幅方向に沿った長さの中央に形成した。これにより、固定片１５と位置決め部２７を係合させるだけで、挿通孔２６とビス孔１６の位置を一致させることができる。したがって、ビスＶを挿通孔２６に挿通させつつビス孔１６に螺入させやすくなり、配線用ボックス１２をボックス固定具１３の固定片１５に簡便に取り付けることができる。
【００４３】
（５）挿通孔２６は、ボス部２５の突出方向に沿った配線用ボックス１２の長さの中央に設けた。これによれば、配線用ボックス１２を固定片１５に安定した状態で固定できる。また、ボックス固定具１３を、固定片１５が設計図で指定された配線孔における軽量形鋼材Ｐの立設方向に沿った長さの中央に位置するように、軽量形鋼材Ｐに取り付けることで、配線用ボックス１２を設計図で指定された位置に容易に配設することができる。
【００４４】
なお、上記実施形態は以下のように変更してもよい。
○  本実施形態では、軽量形鋼材ＰとしてＣ型鋼を用いたが、断面四角枠状をなす角型鋼を用いてもよい。また、造営材として軽量形鋼材Ｐにかえて、木柱を用いてもよい。
【００４５】
○  位置決め部２７は削除してもよい。
○  配線用ボックス１２の底壁２１は、配線用ボックス１２の底面全体に形成されていなくてもよい。例えば、底壁２１を挿通孔２６の延びる方向に沿って一定の幅で細長帯状に形成してもよい。このようにしても、挿通孔２６の延びる方向に対して配線用ボックス１２の位置調整をすることができる。
【００４６】
○  挿通孔２６は、ボス部２５の突出方向に沿って細長に延びる形状としてもよい。このように形成することで、固定片１５の延設方向に対して直交する方向（図１の矢印Ｙ１に示す上下方向）に位置調整をすることができる。この場合、位置決め部２７はないほうが好ましい。
【００４７】
○  挿通孔２６はボス部２５の突出方向に対して直交する方向に沿って細長に延びる形状ではなく、２つの長孔を直交させるように組み合わせた十字状に貫設してもよい。このように構成することで、配線用ボックス１２は、固定片１５の延設方向に沿うように位置調整できるほか、固定片１５の延設方向に対して直交する方向（図１の矢印Ｙ１に示す上下方向）にも位置調整をすることができる。この場合、位置決め部２７はないほうが好ましい。
【００４８】
○  挿通孔２６は配線用ボックス１２に１つだけ設けるようにしてもよい。このように構成しても、挿通孔２６の延びる方向に対して配線用ボックス１２の位置調整をすることができる。
【００４９】
○  挿通孔２６は、３つ以上設けてもよく、また、同一直線上に配置されていなくてもよい。すなわち、長孔状に形成された複数の挿通孔２６が平行に形成されておればよい。このように構成しても、挿通孔２６の延びる方向に対して配線用ボックス１２の位置調整をすることができる。
【００５０】
○  挿通孔２６は、ボス部２５の突出方向に沿った配線用ボックス１２の長さの中央に配設しなくてもよい。この場合、挿通孔２６の位置変更にあわせて位置決め部２７の配設位置も変更するのが好ましい。
【００５１】
○  １つの挿通孔２６に対して複数のビスＶを挿通させつつ、ビス孔１６に螺入させてもよい。
○  位置決め部２７は、位置決め部２７の短辺方向に沿った長さの中央以外の箇所に、挿通孔２６が配置されるように形成してもよい。この場合、固定片１５の幅方向に対するビス孔１６の位置を、位置決め部２７の短辺方向に対する挿通孔２６の位置に対応させることが好ましい。
【００５２】
○  位置決め部２７は、テーパ部２７ｂを削除して、開口する幅と底部２７ａの幅を同一としてもよい。この場合、固定片１５が位置決め部２７に対応した形状となるよう、リブ１５ａは固定片１５の幅方向に対して直角に折り曲げて形成するのが好ましい。
【００５３】
○  位置決め部２７は、ボス部２５の突出方向に対して直交する方向に沿うように延設され、底壁２１の外面側に固定片１５の幅方向に沿った長さに対応した距離だけ相互に離間させて形成された２本の凸条としてもよい。また、凸条に代えて突起を設けてもよい。このように構成しても、位置決め部２７は固定片１５と係合してガイドできる。
【図面の簡単な説明】
【００５４】
【図１】ボックス配設装置の使用状態を示す斜視図。
【図２】配線用ボックスを示す斜視図。
【図３】（ａ）は配線用ボックスを示す正面図、（ｂ）は（ａ）のＡ−Ａ線断面図。
【図４】ボックス固定具を示す斜視図。
【図５】（ａ）〜（ｃ）は、ビスの螺入状態を示す模式断面図。
【図６】配線用ボックスの位置調整を示す模式正面図。
【符号の説明】
【００５５】
１１…ボックス配設装置、１２…配線用ボックス、１３…ボックス固定具、１４…取付部、１５…固定部としての固定片、１６…ビス孔、２１…底壁、２２ａ〜２２ｄ…側壁、２５…ボス部、２６…挿通孔、２７…ガイド部としての位置決め部、Ｖ…ビス、Ｐ…造営材としての軽量形鋼材、Ｐａ…側面としての柱側面、Ｗ…間仕切壁としての軽量間仕切壁、Ｗａ…壁材。
【図１】
0005048418.tif 000002
【図２】
0005048418.tif 000003
【図３】
0005048418.tif 000004
【図４】
0005048418.tif 000005
【図５】
0005048418.tif 000006
【図６】
0005048418.tif 000007